(57)【要約】【課題】磁気抵抗効果型ヘッドによる磁気テープの再生状態を分析することができる装置を提供する。【解決手段】周波数分析部１１でＭＲヘッド２２から出力された再生信号の出力とノイズとを検出し、出力判定部１２で出力が予め設定された出力閾値を超えているかどうかを判定し、ノイズ判定部１３でノイズが予め設定されたノイズ閾値を超えているかどうかを判定する。そして、再生状態分析部１４で、出力判定部１２及びノイズ判定部１３での判定結果に基づいて、磁気テープＭＴの再生状態を分析する。具体的には、「ＭＲヘッド２２が磁気テープを正常に再生している」、「ＭＲヘッド２２が磁気テープの再生すべきデータトラックに対してオフトラックの状態にある」、「スペーシングロスが生じている」のいずれであるかを分析する。【選択図】      図１
2004185766.tif 000002
【特許請求の範囲】
【請求項１】
磁気抵抗効果型ヘッドによる磁気テープの再生状態を分析するための装置であって、
前記磁気抵抗効果型ヘッドから出力された再生信号を周波数毎に分解してスペクトラムデータを作成し、前記スペクトラムデータから前記再生信号の出力とノイズとを検出する周波数分析部と、
前記出力が予め設定された出力閾値を超えているかどうかを判定する出力判定部と、
前記ノイズが予め設定されたノイズ閾値を超えているかどうかを判定するノイズ判定部と、
前記出力判定部及び前記ノイズ判定部での判定結果に基づいて、前記磁気テープの再生状態を分析する再生状態分析部と、
前記再生状態分析部での分析結果を表示する分析結果表示部とを備えて構成されることを特徴とする磁気テープの再生状態分析装置。
【請求項２】
前記再生状態分析部は、
前記出力が前記出力閾値を超え、かつ前記ノイズが前記ノイズ閾値を超えている場合は、前記磁気抵抗効果型ヘッドが前記磁気テープを正常に再生していると分析し、
前記出力が前記出力閾値を超えておらず、かつ前記ノイズが前記ノイズ閾値を超えている場合は、前記磁気抵抗効果型ヘッドが前記磁気テープの再生すべきデータトラックに対してオフトラックの状態にあると分析し、
前記出力が前記出力閾値を超えておらず、かつ前記ノイズが前記ノイズ閾値を超えていない場合は、スペーシングロスが生じていると分析することを特徴とする請求項１に記載の磁気テープの再生状態分析装置。
【発明の詳細な説明】
【０００１】
【発明の属する技術分野】
本発明は、磁気抵抗効果型ヘッドによる磁気テープの再生状態を分析するための装置に関し、詳しくは、磁気テープの再生状態が、「磁気抵抗効果型ヘッドが磁気テープを正常に再生している」、「磁気抵抗効果型ヘッドが磁気テープの再生すべきデータトラックに対してオフトラックの状態にある」、「スペーシングロスが生じている」のいずれであるかを分析することができる装置に関する。
【０００２】
【従来の技術】
近年、磁気テープに記録された信号の再生には、磁気抵抗効果を応用した磁気抵抗効果型ヘッド（以下、「ＭＲヘッド」という）が多用されている。ＭＲヘッドは外部磁界の変動に応じて電気抵抗が変化する素子（磁気抵抗効果素子）を備えており、この磁気抵抗効果素子で磁気テープに磁場として記録されている信号を抵抗値に変換して読み出している。具体的には、磁気テープの再生時に、磁気抵抗効果素子に定電流であるセンス電流を流し、磁気抵抗効果素子の電気抵抗値の変化を電圧の変化分として取り出すことによって磁気テープに記録されている信号を読み出している。
【０００３】
しかし、このＭＲヘッドは、磁気テープの再生時における磁気テープのデータトラックに対するＭＲヘッドのトラッキング精度に起因して、ＭＲヘッドが再生すべきデータトラックを正確に追従できない、いわゆるオフトラックの状態となると、磁気テープに記録されている信号を再生できないという短所がある。また、ＭＲヘッドと磁気テープ間に隙間（スペーシング）が生じると、そのスペーシングに起因して再生時の出力が低下する（スペーシングロス）という短所がある。オフトラックやスペーシングロスが生じると、ＭＲヘッドが磁気テープから再生した信号の出力が変動し、磁気テープに記録されている信号を正確に再生することができない。
【０００４】
そのため、磁気テープの再生時におけるＭＲヘッドの出力変動を検査することが求められている。磁気テープの再生時におけるＭＲヘッドの出力変動を検査するための装置又は方法としては、特許文献１に「検査装置及び検査方法」が開示されている。
【０００５】
【特許文献１】
特開２００１−３３１９１４公報
【０００６】
【発明が解決しようとする課題】
しかしながら、特許文献１に記載されている「検査装置及び検査方法」では、磁気テープの再生時におけるＭＲヘッドの出力変動を検査することはできるものの、出力変動が発生する要因までは調べることはできないという問題があった。特に、近年は、磁気テープの記憶容量の増大化に伴うデータトラックの高密度化によりオフトラックに起因する出力変動が増加しているため、その要因を改善してオフトラックが生じにくい信頼性の高い磁気テープ及び磁気テープドライブ等を開発するためにも、磁気テープの再生状態を分析することが求められている。
【０００７】
そこで、本発明は、磁気抵抗効果型ヘッドによる磁気テープの再生状態を分析することができる装置を提供することを目的とする。
【０００８】
【課題を解決するための手段】
請求項１に記載された磁気テープの再生状態分析装置は、磁気抵抗効果型ヘッドによる磁気テープの再生状態を分析するための装置であって、前記磁気抵抗効果型ヘッドから出力された再生信号を周波数毎に分解してスペクトラムデータを作成し、前記スペクトラムデータから前記再生信号の出力とノイズとを検出する周波数分析部と、前記出力が予め設定された出力閾値を超えているかどうかを判定する出力判定部と、前記ノイズが予め設定されたノイズ閾値を超えているかどうかを判定するノイズ判定部と、前記出力判定部及び前記ノイズ判定部での判定結果に基づいて、前記磁気テープの再生状態を分析する再生状態分析部と、前記再生状態分析部での分析結果を表示する分析結果表示部とを備えて構成されることを特徴とする。
【０００９】
請求項１に記載された磁気テープの再生状態分析装置によれば、周波数分析部で、磁気抵抗効果型ヘッドから出力された再生信号の出力とノイズとを検出し、出力判定部で出力が予め設定された出力閾値を超えているかどうかを判定し、ノイズ判定部でノイズが予め設定されたノイズ閾値を超えているかどうかを判定する。そして、再生状態分析部で出力判定部及びノイズ判定部での判定結果に基づいて、磁気テープＭＴの再生状態を分析することができる。
【００１０】
また、前記再生状態分析部は、前記出力が前記出力閾値を超え、かつ前記ノイズが前記ノイズ閾値を超えている場合は、前記磁気抵抗効果型ヘッドが前記磁気テープを正常に再生していると分析し、前記出力が前記出力閾値を超えておらず、かつ前記ノイズが前記ノイズ閾値を超えている場合は、前記磁気抵抗効果型ヘッドが前記磁気テープの再生すべきデータトラックに対してオフトラックの状態にあると分析し、前記出力が前記出力閾値を超えておらず、かつ前記ノイズが前記ノイズ閾値を超えていない場合は、スペーシングロスが生じていると分析することを特徴とする。
【００１１】
再生状態分析部では、出力が出力閾値を超え、かつノイズがノイズ閾値を超えている場合は、再生信号の出力及びノイズが共に十分に検出されているので、磁気抵抗効果型ヘッドが磁気テープに記録されている信号を正常に再生していると分析する。また、出力が出力閾値を超えておらず、かつノイズがノイズ閾値を超えている場合は、再生信号の出力は十分に検出されていないが、ノイズは十分に検出されているので、磁気抵抗効果型ヘッドが磁気テープの再生すべきデータトラックに対してオフトラックの状態にあると分析する。また、出力が出力閾値を超えておらず、かつノイズがノイズ閾値を超えていない場合は、再生信号の出力及びノイズが共に十分に検出されていないので、磁気抵抗効果型ヘッドが磁気テープを正常に再生していない、即ちスペーシングロスが生じている可能性が高いので、スペーシングロスが生じていると分析する。以上のように、再生状態分析部では、磁気テープの再生状態が、「磁気抵抗効果型ヘッドが磁気テープを正常に再生している」、「磁気抵抗効果型ヘッドが磁気テープの再生すべきデータトラックに対してオフトラックの状態にある」、「スペーシングロスが生じている」のいずれであるかを分析することができる。
【００１２】
【発明の実施の形態】
以下、本発明に係る磁気テープの再生状態分析装置の一実施の形態について、適宜図面を参照して詳細に説明する。本実施の形態では、本発明に係る磁気テープの再生状態分析装置を、磁気テープの記録再生装置である磁気テープドライブに設置した場合を想定している。
【００１３】
まず、本発明に係る磁気テープの再生状態分析装置（以下、単に「分析装置」という）１０が設置される磁気テープドライブ２０の構成について、図１を参照して説明する。参照する図面において、図１は、分析装置１０と、分析装置１０が設置される磁気テープドライブ２０の構成を示す模式図である。
【００１４】
図１に示す磁気テープドライブ２０は磁気テープＭＴに記録されている信号を再生するための装置であり、磁気テープＭＴを走行させる磁気テープ走行系２１と、磁気テープＭＴに記録されている信号を再生する磁気抵抗効果型ヘッド（以下、「ＭＲヘッド」という）２２とを備えて構成されている。
【００１５】
磁気テープ走行系２１は、巻回された磁気テープＭＴを送り出す送出リール２１ａと、送出リール２１ａから送り出された磁気テープＭＴを巻き取る巻取リール２１ｂと、走行する磁気テープＭＴを案内する複数のガイドローラ２１ｃ，２１ｃと、送出リール２１ａ及び巻取リール２１ｂを駆動する図示しない駆動装置とから構成されている。なお、ここでは、磁気テープＭＴには信号が記録されているものとする。
【００１６】
ＭＲヘッド２２は、磁気テープ走行系２１の適所に配置されており、走行する磁気テープＭＴと摺動して、磁気テープＭＴに記録されている信号を再生する。具体的には、磁気テープＭＴの再生時に、ＭＲヘッド２２に含まれる磁気抵抗効果素子に定電流であるセンス電流を流し、前記磁気抵抗効果素子の電気抵抗値の変化を電圧の変化分として取り出すことによって磁気テープＭＴに記録されている信号を読み出している。ＭＲヘッド２２が磁気テープＭＴから読み出した信号（再生信号）は、分析装置１０の周波数分析部１１に出力される。
【００１７】
次に、分析装置１０の構成について、図１を参照して説明する。図１に示す分析装置１０は、磁気テープＭＴの再生状態を分析するための装置であり、周波数分析部１１と、出力判定部１２と、ノイズ判定部１３と、再生状態分析部１４と、分析結果表示部１５とを備えて構成されている。以下、各部について詳細に説明する。
【００１８】
周波数分析部１１は、具体的にはスペクトムアナライザであり、磁気テープドライブ２０のＭＲヘッド２２から入力された再生信号を周波数毎に分解してスペクトラムデータを作成する。ＭＲヘッド２２から入力される再生信号は、前記したように電圧変化を示す信号なので、この周波数分析部１１では、電圧の周波数スペクトラムとしてスペクトルデータを作成している。なお、本実施の形態では、スペクトラムデータは１ｍｓ毎に作成している。
【００１９】
図２は、周波数分析部１１での分析結果の一例を示すグラフである。図２に示したグラフのエンべロープ（包絡線）において、最もレベル値の高いピークＰ１が再生信号の出力であり、他の部分がノイズである。そして、ここでは、ピークＰ１の次にレベル値が高いピークＰ２をノイズの最大値とする。このように、磁気テープドライブ２０のＭＲヘッド２２から入力された再生信号を周波数毎に分解してスペクトラムデータを作成することにより、「再生信号の出力」と「ノイズの最高値」を検出することができる。周波数分析部１１での分析結果は、出力判定部１２とノイズ判定部１３に出力される。
【００２０】
出力判定部１２は、再生信号の出力であるピークＰ１のレベルが、予め設定された閾値Ｓ１を超えているかどうかを判定する（図３（ａ）参照）。ここで、ピークＰ１のレベルが閾値Ｓ１を超えていると判定された場合は、判定フラグを「１」とし、閾値Ｓ１を超えていないと判定された場合は、判定フラグを「０」とする。図３（ａ）の例では、ピークＰ１のレベルが閾値Ｓ１を超えているので、判定フラグは「１」とする。なお、閾値Ｓ１は、磁気テープＭＴの再生状態と再生信号の出力との関係を実験等によって求めた上で、適宜設定される。出力判定部１２での判定結果は、再生状態分析部１４に出力される。
【００２１】
ノイズ判定部１３は、ノイズの最大値であるピークＰ２のレベルが、予め設定された閾値Ｓ２を超えているかどうかを判定する（図３（ｂ）参照）。ここで、ピークＰ２のレベルが閾値Ｓ２を超えていると判定された場合は、判定フラグを「１」とし、閾値Ｓ２を超えていないと判定された場合は、判定フラグを「０」とする。図３（ｂ）の例では、ピークＰ２のレベルが閾値Ｓ２を超えていないので、判定フラグは「０」とする。なお、閾値Ｓ２は、磁気テープＭＴの再生状態と再生信号のノイズとの関係を実験等によって求めた上で、適宜設定される。ノイズ判定部１３での判定結果は、再生状態分析部１４に出力される。
【００２２】
再生状態分析部１４は、出力判定部１２及びノイズ判定部１３での判定結果に基づいて、磁気テープＭＴの再生状態を分析する。本実施の形態では、周波数分析部１１でスペクトラムデータは１ｍｓ毎に作成しているので、磁気テープＭＴの再生状態は、磁気テープＭＴの１ｍｓ走行した分の範囲毎に分析される。以下、再生状態分析部１４において磁気テープＭＴの再生状態を分析する方法について、図４の表を参照して説明する。図４は、出力判定部１２及びノイズ判定部１３での判定結果と、磁気テープＭＴの再生状態との関係を示す表である。
【００２３】
出力判定部１２での判定フラグが「１」で、ノイズ判定部１３での判定フラグが「１」の場合は、再生信号の出力及びノイズが共に十分に検出されているので、ＭＲヘッド２２が磁気テープＭＴに記録されている信号を正常に再生していると判断することができる。したがって、この場合は、「ＭＲヘッド２２が磁気テープＭＴを正常に再生している」と分析する。
【００２４】
出力判定部１２での判定フラグが「０」で、ノイズ判定部１３での判定フラグが「１」の場合は、再生信号の出力は十分に検出されていないが、ノイズは十分に検出されているので、ＭＲヘッド２２は磁気テープＭＴを正常に再生してはいるが、再生すべきデータトラックを再生してはいない、即ちＭＲヘッド２２は再生すべきデータトラックに対してオフトラックの状態にあると判断することができる。したがって、この場合は、「ＭＲヘッド２２が磁気テープＭＴの再生すべきデータトラックに対してオフトラックの状態にある」と分析する。
【００２５】
また、出力判定部１２での判定フラグが「０」で、ノイズ判定部１３での判定フラグが「０」の場合は、再生信号の出力及びノイズが共に十分に検出されていないので、ＭＲヘッド２２が磁気テープＭＴを正常に再生していないと判断することができる。そして、その原因は、磁気テープＭＴとＭＲヘッド２２との間にスペーシング（隙間）が生じたために、ＭＲヘッド２２が所定の信号出力を得ることができない、即ちＭＲヘッド２２はスペーシングロスが生じている可能性が高いと推測される。したがって、この場合は、「スペーシングロスが生じている」と分析する。
【００２６】
なお、出力判定部１２での判定フラグが「１」で、ノイズ判定部１３での判定フラグが「０」の場合もあるが、通常、再生信号の出力が十分に検出されたときは、必ずノイズも十分に検出されるので、この場合は考えられない。したがって、この場合は、分析対象から除外する。
【００２７】
そして、再生状態分析部１４での分析結果は、分析結果表示部１５に出力され、分析結果表示部１５で表示される。図３（ａ）及び図３（ｂ）に示した例では、出力判定部１２での判定フラグが「１」で、ノイズ判定部１３での判定フラグが「１」なので、分析結果は「正常」と表示される。なお、分析結果表示部１５としては、例えば、ディスプレイやプリンタ等を用いることができる。
【００２８】
次に、以上のように構成された分析装置１０を用いて磁気テープＭＴの再生状態を分析する方法について説明する。
【００２９】
まず、磁気テープドライブ２０において、磁気テープ走行系２１を走行する磁気テープＭＴをＭＲヘッド２２で再生した際に、ＭＲヘッド２２が磁気テープＭＴから読み出した信号（再生信号）は、分析装置１０の周波数分析部１１に出力される。
【００３０】
続いて、分析装置１０の周波数分析部１１では、磁気テープドライブ２０のＭＲヘッド２２から入力された再生信号を周波数毎に分解して図２に示すようなスペクトラムデータを作成し、「再生信号の出力」と「ノイズの最高値」とを検出する。具体的には、図２のグラフを例に説明すると、グラフのエンべロープ（包絡線）において、最もレベル値の高いピークＰ１を再生信号の出力とし、ピークＰ１の次にレベル値が高いピークＰ２をノイズの最大値とする。周波数分析部１１での分析結果は、出力判定部１２とノイズ判定部１３に出力される。
【００３１】
次に、出力判定部１２では、再生信号の出力であるピークＰ１のレベルが、予め設定された閾値Ｓ１（図３（ａ）参照）を超えているかどうかを判定し、ピークＰ１のレベルが閾値Ｓ１を超えていると判定された場合は、判定フラグを「１」とし、閾値Ｓ１を超えていないと判定された場合は、判定フラグを「０」とする。出力判定部１２での判定結果は、再生状態分析部１４に出力される。
【００３２】
また、ノイズ判定部１３では、ノイズの最大値であるピークＰ２のレベルが、予め設定された閾値Ｓ２（図３（ｂ）参照）を超えているかどうかを判定し、ピークＰ２のレベルが閾値Ｓ２を超えていると判定された場合は、判定フラグを「１」とし、閾値Ｓ２を超えていないと判定された場合は、判定フラグを「０」とする。ノイズ判定部１３での判定結果は、再生状態分析部１４に出力される。
【００３３】
そして、再生状態分析部１４では、出力判定部１２及びノイズ判定部１３での判定結果に基づいて、磁気テープＭＴの再生状態を分析する。具体的には、図４の表に示すように、出力判定部１２での判定フラグが「１」で、ノイズ判定部１３での判定フラグが「１」の場合は、「ＭＲヘッド２２が磁気テープＭＴを正常に再生している」と分析する。また、出力判定部１２での判定フラグが「０」で、ノイズ判定部１３での判定フラグが「１」の場合は、「ＭＲヘッド２２が磁気テープＭＴの再生すべきデータトラックに対してオフトラックの状態にある」と分析する。また、出力判定部１２での判定フラグが「０」で、ノイズ判定部１３での判定フラグが「０」の場合は、ＭＲヘッド２２が「スペーシングロスが生じている」と分析する。再生状態分析部１４での分析結果は、分析結果表示部１５に出力され、分析結果表示部１５ではその分析結果を表示する。
【００３４】
以上説明したように、本発明に係る分析装置１０によれば、周波数分析部１１でＭＲヘッド２２から出力された再生信号の出力とノイズとを検出し、出力判定部１２で出力が予め設定された出力閾値を超えているかどうかを判定し、ノイズ判定部１３でノイズが予め設定されたノイズ閾値を超えているかどうかを判定することができる。そして、再生状態分析部１４で、出力判定部１２及びノイズ判定部１３での判定結果に基づいて、磁気テープＭＴの再生状態を分析する。具体的には、「ＭＲヘッド２２が磁気テープを正常に再生している」、「ＭＲヘッド２２が磁気テープの再生すべきデータトラックに対してオフトラックの状態にある」、「スペーシングロスが生じている」のいずれであるかを分析することができる。
【００３５】
以上、本発明の一実施の形態について説明したが、本発明はこのような実施例にのみ限定されるものではなく、本発明の技術的思想に基づく限りにおいて、種々の変形が可能である。
【００３６】
例えば、本実施の形態では、周波数分析部１１で「ノイズの最高値」を検出し、ノイズ判定部１３でノイズの最大値であるピークＰ２のレベルが、予め設定された閾値Ｓ２を超えているかどうかを判定しているが（図３（ｂ）参照）、ノイズ判定部１３での判定対象としては、「ノイズは最高値」に限られず、任意の周波数又は任意の範囲のノイズを用いてもよい。
【００３７】
また、図５に示すように、周波数分析部１１での分析結果において、ノイズの最大値であるピークＰ２（図２参照）が検出されない場合があるが、その場合は、再生信号の出力であるピークＰ１の周波数Ｈ１を基準として、周波数Ｈ１の半分の周波数Ｈ２時における出力をノイズの最大値であるピークＰ２´とする。
【００３８】
【発明の効果】
以上説明したように、本発明によれば、磁気抵抗効果型ヘッドによる磁気テープの再生状態を分析することができる装置を提供することができる。
【図面の簡単な説明】
【図１】本発明に係る分析装置１０と、分析装置１０が設置される磁気テープドライブ２０の構成を示す模式図である。
【図２】周波数分析部１１での分析結果の一例を示すグラフである。
【図３】（ａ）は出力判定部１２での判定方法を説明するための図であり、（ｂ）はノイズ判定部１３での判定方法を説明するための図である。
【図４】出力判定部１２及びノイズ判定部１３での判定結果と、磁気テープＭＴの再生状態との関係を示す表である。
【図５】周波数分析部１１での分析結果の他の例を示すグラフである。
【符号の説明】
１０    磁気テープの再生状態分析装置（分析装置）
１１    周波数分析部
１２    出力判定部
１３    ノイズ判定部
１４    再生状態分析部
１５    分析結果表示部
２０    磁気テープドライブ
２１    磁気テープ走行系
２２    磁気抵抗効果型ヘッド（ＭＲヘッド）
【図１】
2004185766.tif 000003
【図２】
2004185766.tif 000004
【図３】
2004185766.tif 000005
【図４】
2004185766.tif 000006
【図５】
2004185766.tif 000007